(57)【要約】【課題】ミストを安定して放出させることができるミスト発生装置及び美容装置を提供する。【解決手段】美顔器の冷ミスト生成機構は、給水タンクから供給された水を貯留する気液分離部７０と、気液分離部７０から下流側供給流路を介して供給された水をミスト化し、該ミストを外部に放出するミスト生成部と、気液分離部７０内に位置し且つ気液分離部７０内に貯留される水の水面に対して交差する方向に突出する突出部７２ｂを有し、気液分離部７０内の水を下流側供給流路に導くための中空の給水ノズル７２と、気液分離部７０内に滞留する気体が給水ノズル７２内に流入することを抑制するスリット７７と、を備えている。【選択図】図１０
2012205728.tif 000002
【特許請求の範囲】
【請求項１】
液体収容部から供給された液体を貯留する気液分離部と、
前記気液分離部から下流側供給流路を介して供給された液体をミスト化し、該ミストを外部に放出するミスト生成部と、
前記気液分離部内に位置し且つ前記気液分離部内に貯留される液体の液面に対して交差する方向に突出する突出部を有し、前記気液分離部内の液体を前記下流側供給流路に導くための中空の突出部材と、
前記気液分離部内に滞留する気体が前記突出部材内に流入することを抑制する流入抑制機構と、を備えることを特徴とするミスト発生装置。
【請求項２】
前記突出部は、前記気液分離部内の液体を内部に流入させるための流入部を有し、
前記流入部は、前記突出部の側壁に形成される開口部を含んで構成されており、
前記流入抑制機構は、前記開口部を含んで構成されていることを特徴とする請求項１に記載のミスト発生装置。
【請求項３】
前記開口部は、前記気液分離部内に貯留される液体の液面と交差する方向に延びるように形成されていることを特徴とする請求項２に記載のミスト発生装置。
【請求項４】
前記開口部は、前記突出部の下端から前記気液分離部内に貯留される液体の液面と交差する方向に延びるスリットであることを特徴とする請求項２又は請求項３に記載のミスト発生装置。
【請求項５】
前記開口部の上端は、前記気液分離部の上端よりも下方に位置していることを特徴とする請求項２〜請求項４のうち何れか一項に記載のミスト発生装置。
【請求項６】
前記流入抑制機構は、前記気液分離部内を上下に区画する区画部材を有し、
前記区画部材は、前記気液分離部内で区画された２つの領域を連通させる連通空間が形成されるように構成されていることを特徴とする請求項１に記載のミスト発生装置。
【請求項７】
前記流入抑制機構は、前記気液分離部内を上下に区画する区画部材をさらに有し、
前記区画部材は、
前記気液分離部内で区画された２つの領域を連通させる連通空間が形成されるように構成されると共に、
前記突出部材との接続部位が前記開口部よりも上側に位置するように配置されていることを特徴とする請求項２〜請求項５のうち何れか一項に記載のミスト発生装置。
【請求項８】
前記突出部には、前記気液分離部内の液体を内部に流入させるための流入部が形成されており、
前記区画部材は、前記連通空間が前記気液分離部内において前記流入部から最も離間した位置に形成されるように構成されていることを特徴とする請求項６又は請求項７に記載のミスト発生装置。
【請求項９】
前記区画部材は、前記連通空間に近接する部位が最も上方に位置するように、前記気液分離部内に貯留される液体の液面に対して斜状をなすように配置されていることを特徴とする請求項８に記載のミスト発生装置。
【請求項１０】
前記液体収容部から供給された液体を加熱によって殺菌する殺菌部と、
前記殺菌部で殺菌された液体を前記気液分離部に供給するための上流側供給流路と、をさらに備えることを特徴とする請求項１〜請求項９のうち何れか一項に記載のミスト発生装置。
【請求項１１】
請求項１〜請求項１０のうち何れか一項に記載のミスト発生装置を備えることを特徴とする美容装置。
【発明の詳細な説明】
【技術分野】
【０００１】
本発明は、液体のミストを発生させるミスト発生装置及びこれを備える美容装置に関する。
【背景技術】
【０００２】
従来、スチーム（「温ミスト」ともいう。）を生成するためのスチーム生成機構及びミスト（「冷ミスト」ともいう。）を生成するためのミスト生成機構を備える美容装置として、例えば特許文献１に記載の美容装置が提案されている。この美容装置のミスト生成機構には、給水タンク側から供給された水（液体）が貯留される気液分離部と、該気液分離部から液体供給パイプを介して供給された水をミスト化させるミスト生成部とが設けられている。
【０００３】
気液分離部では、供給された水に含まれる気泡が該水から分離されるため、気液分離部の上側には気体が滞留する。こうした気液分離室内には、上端が液体供給パイプに接続される液体供給チューブが設けられている。そして、気液分離部で貯留される水は、液体供給チューブの下端に形成された流入口（流入部）から該液体供給チューブ内に流入し、液体供給チューブ及び液体供給パイプなどを介してミスト生成部に供給される。すると、ミスト生成部では、供給された水がポンプから送り出された空気と混合されることによりミスト化し、ミストがミストノズルを介して外部に放出される。
【先行技術文献】
【特許文献】
【０００４】
【特許文献１】特開２００８−２９５４７３号公報
【発明の概要】
【発明が解決しようとする課題】
【０００５】
ところで、気液分離部内では、給水タンク側から供給される水に含まれる気泡が多いほど水の貯留量が少なくなる。つまり、気液分離部内における水面が低下する。そして、液体供給チューブの下端に形成された流入口よりも水面が鉛直方向下側に位置するようになると、気液分離部からミスト生成部には、気液分離部内に滞留する気体が供給されるようになる。つまり、気液分離部内の水を液体供給チューブ内に流入させるための流入部が気液分離部内に滞留する気体に接触するようになると、液体供給チューブを介して水がミストノズル側に供給されにくくなる。その結果、ミスト生成部ではミストを生成し難くなり、ミストノズルからミストが安定的に放出されにくくなる。
【０００６】
本発明は、このような事情に鑑みてなされたものであり、その目的は、ミストを安定して放出させることができるミスト発生装置及び美容装置を提供することにある。
【課題を解決するための手段】
【０００７】
上記目的を達成するために、本発明のミスト発生装置は、液体収容部から供給された液体を貯留する気液分離部と、前記気液分離部から下流側供給流路を介して供給された液体をミスト化し、該ミストを外部に放出するミスト生成部と、前記気液分離部内に位置し且つ前記気液分離部内に貯留される液体の液面に対して交差する方向に突出する突出部を有し、前記気液分離部内の液体を前記下流側供給流路に導くための中空の突出部材と、前記気液分離部内に滞留する気体が前記突出部材内に流入することを抑制する流入抑制機構と、を備えることを要旨とする。
【０００８】
本発明のミスト発生装置において、前記突出部は、前記気液分離部内の液体を内部に流入させるための流入部を有し、前記流入部は、前記突出部の側壁に形成される開口部を含んで構成されており、前記流入抑制機構は、前記開口部を含んで構成されていることが好ましい。
【０００９】
本発明のミスト発生装置において、前記開口部は、前記気液分離部内に貯留される液体の液面と交差する方向に延びるように形成されていることが好ましい。
本発明のミスト発生装置において、前記開口部は、前記突出部材の下端から前記気液分離部内に貯留される液体の液面と交差する方向に延びるスリットであることが好ましい。
【００１０】
本発明のミスト発生装置において、前記開口部の上端は、前記気液分離部の上端よりも下方に位置していることが好ましい。
本発明のミスト発生装置において、前記流入抑制機構は、前記気液分離部内を上下に区画する区画部材を有し、前記区画部材は、前記気液分離部内で区画された２つの領域を連通させる連通空間が形成されるように構成されることが好ましい。
【００１１】
本発明のミスト発生装置において、前記流入抑制機構は、前記気液分離部内を上下に区画する区画部材をさらに有し、前記区画部材は、前記気液分離部内で区画された２つの領域を連通させる連通空間が形成されるように構成されると共に、前記突出部材との接続部位が前記開口部よりも上側に位置するように配置されていることが好ましい。
【００１２】
本発明のミスト発生装置において、前記突出部には、前記気液分離部内の液体を内部に流入させるための流入部が形成されており、前記区画部材は、前記連通空間が前記気液分離部内において前記流入部から最も離間した位置に形成されるように構成されていることが好ましい。
【００１３】
本発明のミスト発生装置において、前記区画部材は、前記連通空間に近接する部位が最も上方に位置するように、前記気液分離部内に貯留される液体の液面に対して斜状をなすように配置されていることが好ましい。
【００１４】
本発明のミスト発生装置は、前記液体収容部から供給された液体を加熱によって殺菌する殺菌部と、前記殺菌部で殺菌された液体を前記気液分離部に供給するための上流側供給流路と、をさらに備えることが好ましい。
【００１５】
本発明の美容装置は、上記ミスト発生装置を備えることが好ましい。
【発明の効果】
【００１６】
本発明によれば、ミストを安定して放出させることができる。
【図面の簡単な説明】
【００１７】
【図１】本発明のミスト発生装置を備える美容装置の一実施形態である美顔器を示す斜視図。
【図２】美顔器を示す背面図。
【図３】給水タンク及びタンクホルダーを示す断面図。
【図４】美顔器本体を示す背面図。
【図５】タンクホルダーに接続される管路を示す斜視図。
【図６】図２における６−６線矢視断面図。
【図７】美顔器本体を後方側から見た斜視図。
【図８】気液分離部内の構成を説明する断面図。
【図９】気液分離室から水が給水ノズルを介して下流側に供給される様子を説明する模式図。
【図１０】別の実施形態の気液分離部内の構成を説明する断面図。
【図１１】更なる別の実施形態の気液分離部内の構成を説明する断面図。
【図１２】別の実施形態の給水ノズル内の構成を説明する断面図。
【発明を実施するための形態】
【００１８】
（第１の実施形態）
以下、本発明を、ミスト発生装置を備える美容装置としての美顔器に具体化した一実施形態を図１〜図９に従って説明する。なお、以下の説明において、「前後方向」、「左右方向」、「上下方向」をいう場合には、図中における矢印に示す方向を示すものとする。
【００１９】
図１に示すように、本実施形態の美顔器１０における有底略円筒状の本体ケース１１内には美顔器本体１２が収容されている。また、本体ケース１１の開口部と面一をなす美顔器本体１２の上面にはノズル部１３及びスイッチ部１４が設置されている。そして、ノズル部１３及びスイッチ部１４を有する美顔器本体１２の上面は、本体ケース１１に対し開閉可能（傾動可能）に取り付けられたメインカバー１５にて露出・隠蔽が可能とされている。
【００２０】
ノズル部１３は、美顔器本体１２の上面の中央に設けられており、スチーム（温ミスト）を放出する一対のスチームノズル１６ａ，１６ｂ、冷ミストを放出するミストノズル１７、及びマイナスイオンを放出するイオンノズル１８を有している。そして、ミストノズル１７が左右方向中央位置に、スチームノズル１６ａがその右側に、スチームノズル１６ｂが左側に、イオンノズル１８がミストノズル１７の上側にそれぞれ配置されている。なお、スチームノズル１６ａ，１６ｂは、互いの間隔が例えば７０ｍｍに設定されている。
【００２１】
また、スチームノズル１６ａ，１６ｂ、ミストノズル１７、及びイオンノズル１８の各放出方向は前側斜め上方の同一方向に向くように設定されている。すなわち、美顔器１０の前側と使用者とが対向するように使用されたときに、その使用者の顔表面に向けて各ノズル１６ａ，１６ｂ，１７，１８の放出方向が向くように設定されている。また、このノズル部１３にもノズルカバー１９が開閉可能（傾動可能）に取り付けられ、その開閉にて各ノズル１６ａ，１６ｂ，１７，１８の露出・隠蔽が可能とされている。
【００２２】
また、ノズル部１３の手前右側には、スイッチ部１４として、それぞれ押しボタンスイッチにて構成される電源スイッチ２０、運転制御スイッチ２１、及びコース選択スイッチ２２が設けられている。電源スイッチ２０は、美顔器１０のオンオフ操作を行うものである。また、運転制御スイッチ２１及びコース選択スイッチ２２は、その操作にて、スチームと冷ミストとを組み合わせて対象体に向けて放出するコースや、スチームのみを放出するコースといった各種のコースの選択、及びその決定（動作開始）を行うものである。
【００２３】
また、メインカバー１５の前端部には、開閉操作部２３として、開閉操作板２４及び開閉操作カバー２５が設けられている。開閉操作板２４は、メインカバー１５に図示しない締結ねじにより固定された開閉操作カバー２５に対して、その後端部が回動可能に取り付けられており、この開閉操作板２４の前端部にはフック部２６が設けられている。そして、開閉操作板２４のフック部２６は、メインカバー１５が閉じられた際に、美顔器本体１２の上面の前端部に設けられたフック受け部２７に対して図示しないばねの付勢力に基づき掛止することにより、メインカバー１５の開放動作をロックするようになっている。また、開閉操作カバー２５の後端部にはフック部２８が設けられており、このフック部２８にはミストノズル１７を掃除するためのミスト針２９が着脱自在に取り付けられている。
【００２４】
また、図２に示すように、美顔器本体１２の後方下部における右寄りの位置には、インレットプラグ３０が設けられている。そして、このインレットプラグ３０には、外部から電源を供給するための電源コード３１が着脱可能に取り付けられている。
【００２５】
また、美顔器本体１２の後方下部における左寄りの位置には、美顔器本体１２の内部から水（液体）を排水するための排水口３２、及び該排水口３２を通じた排水動作を操作するための排水操作板３３が設けられている。そして、本体ケース１１には、排水口３２及び排水操作板３３を覆うように排水カバー３４が回動自在に取り付けられている。
【００２６】
また、図１に示すように、ノズル部１３の左側には、美顔器本体１２の上面から凹設されてなるタンクホルダー３５が設けられており、該タンクホルダー３５内には、本体ケース１１の開口部と面一となるように液体収容部としての給水タンク３６が着脱可能に収容されている。
【００２７】
具体的には、図３に示すように、タンクホルダー３５において給水タンク３６を収容する内面には、給水タンク３６を相対移動不能に係止させるタンク固定部３７が設けられている。このタンク固定部３７は、先端部３８ａが凸状をなすタンクフック３８と、該タンクフック３８をその先端部３８ａがタンクホルダー３５の内側に向くようにして基端側から付勢するタンクフックバネ３９とを備えている。そして、給水タンク３６がタンクホルダー３５に対して装着されると、タンクホルダー３５の内側に付勢されたタンクフック３８の先端部３８ａが、給水タンク３６の外側面に設けられた凹部４０に対して係合することにより、給水タンク３６がタンクホルダー３５に対して相対移動不能に係止されるようになっている。
【００２８】
また、図４及び図５に示すように、タンクホルダー３５の下部からは、図２に示した排水口３２に連なる排出チューブ４１が延設されている。この排出チューブ４１の途中には分岐部４２が設けられ、その分岐部４２には下流側が二股状に分岐した給水チューブ４３の上流端が接続されている。そして、この給水チューブ４３の各下流端は、給水タンク３６から給水された水からスチーム（温ミスト）を発生させるスチーム生成機構４４（図６参照）、及び給水タンク３６から給水された水から冷ミストを生成する冷ミスト生成機構４５に対してそれぞれ接続されている。なお、排出チューブ４１における分岐部４２よりも上流側及び給水チューブ４３における分岐位置よりも上流側となる各位置からは分岐チューブ４１ａ，４３ａが鉛直方向上側に延びるように分岐し、それらの各上端がタンクホルダー３５に接続されている。そして、排出チューブ４１内及び給水チューブ４３内から気泡が各分岐チューブ４１ａ，４３ａ及びタンクホルダー３５を通じて外部に排出されるようになっている。
【００２９】
図６に示すように、スチーム生成機構４４は、美顔器本体１２の中央よりも前側に備えられており、駆動電流の供給に基づいて発熱しその発熱の自己制御機能を有するＰＴＣ（Positive Temperature Coefficient）ヒーター４６ａ，４６ｂを前側と後側にそれぞれ備えている。そして、スチーム生成機構４４は、給水タンク３６から給水チューブ４３を介してＰＴＣヒーター４６ａ，４６ｂの内側のボイラー室４７内に供給された水を沸騰させてスチームの生成を行っている。
【００３０】
ボイラー室４７の上部には、生成したスチームを一対のスチームノズル１６ａ，１６ｂまで案内するためのスチーム案内管路４８が接続されている。そのため、ボイラー室４７にて生成されたスチームはスチーム案内管路４８を通って各スチームノズル１６ａ，１６ｂまでそれぞれ案内される。そして、ボイラー室４７やスチーム案内管路４８内は高圧となるため、各スチームノズル１６ａ，１６ｂの放出孔からはある程度の勢いを以てスチームが放出されるようになっている。なお、スチームノズル１６ａ，１６ｂの放出孔の内径は例えば３．６ｍｍに設定されている。
【００３１】
また、スチーム案内管路４８の途中位置には、スチーム放電部４９が備えられている。スチーム放電部４９は、自身の放電により、通過するスチームをより微細化するものである。また、このスチーム放電部４９では、抗酸化作用があり肌にも良いとされる金属（例えば白金）を用い、放電を利用してその金属微粒子を発生させている。
【００３２】
冷ミスト生成機構４５は、図６に示すように、スチーム生成機構４４よりも後側に配置されており、ベンチュリー効果を用いて冷ミストを生成する。こうした冷ミスト生成機構４５は、後側のＰＴＣヒーター４６ｂの放熱面（図６では後面）４６ｂ１に対向して配置されるボイラーブロック６０を備えている。このボイラーブロック６０には、給水チューブ４３を介して供給された給水タンク３６からの水を、ＰＴＣヒーター４６ｂの放熱面４６ｂ１からの熱（余熱）を用いて殺菌する殺菌部５１が形成されている。この殺菌部５１では、給水チューブ４３を介して供給された水が、例えば８０℃以上、３０秒以上で殺菌処理される。
【００３３】
ボイラーブロック６０の上側には、殺菌済みとなった水を一時的に貯留する気液分離部７０が設けられている。この気液分離部７０内の気液分離室７１では、殺菌部５１から供給された水と、該水に含まれる気泡とが分離される。そのため、気液分離室７１内では、気泡を多く含んだ水が供給されるほど水位が下方に変位する。
【００３４】
また、気液分離部７０には、該気液分離部７０の上側から下方に突出する筒形状の給水ノズル（突出部材）７２が接続されている。この給水ノズル７２の鉛直方向における中途よりも下側の部位は、気液分離室７１内に位置している。
【００３５】
給水ノズル７２の上端は、上方に配置される異物捕捉部８０内とミスト継手８１を介して連通している。異物捕捉部８０内には、下方（給水ノズル７２側）から上方に流動する水に含まれる異物を捕捉するためのミストフィルター８３が設けられている。こうした異物捕捉部８０の上端には、継手８４を介してミストチューブ８５が接続されている。そして、このミストチューブ８５の下流端には、ベンチュリー構造のミストノズル１７が接続されている。その結果、ミストフィルター８３を通過した殺菌済みの水がミストノズル１７に供給され、該ミストノズル１７では、ベンチュリー効果によって、美容に適した衛生状態に保たれた冷ミストが生成される。こうした冷ミストが、ミストノズル１７から放出される。したがって、本実施形態では、ミスト継手８１、異物捕捉部８０、継手８４及びミストチューブ８５により、気液分離室７１内の水をミストノズル１７に供給するための下流側流路が構成される。
【００３６】
また、図６及び図７に示すように、冷ミスト生成機構４５には、ボイラーブロック６０からミストノズル１７までの水の供給経路を左右方向から挟むように一対のポンプブロック５２が設けられている。これら各ポンプブロック５２は、電源モーターを駆動源としたポンプ５３と、該ポンプ５３から送出される空気をミストノズル１７に向けて流動させる第１エアチューブ５４とを備えている。各第１エアチューブ５４の下流端は、３つ股状のエアパイプ５５に接続されている。こうしたエアパイプ５５は、第２エアチューブ５６を介してミストノズル１７に接続されている。つまり、ミストノズル１７には、各ポンプ５３の駆動によって各ポンプブロック５２から送出された空気が合流した状態で供給される。
【００３７】
その結果、ポンプが一つの場合と比較してミストノズル１７に送出される空気の風量が増大し、ミストノズル１７からは、より多くの冷ミストが放出される。したがって、本実施形態では、ミストノズル１７、各ポンプブロック５２、エアパイプ５５及び第２エアチューブ５６により、殺菌部５１で殺菌された水をミスト化し、該ミストを外部に放出するミスト生成部が構成される。
【００３８】
次に、ボイラーブロック６０から気液分離部７０を介して水を異物捕捉部８０に供給するまでの構成について説明する。なお、以降において上下方向とは、美顔器１０を水平面に設置した場合の上下方向と一致するものとする。
【００３９】
図６に示すように、ボイラーブロック６０内には、殺菌部５１の上側に配置される連通路（上流側供給流路）６１が形成されている。この連通路６１は、殺菌部５１で殺菌された水を気液分離部７０内の気液分離室７１に供給するための通路である。
【００４０】
気液分離室７１内では、図８に示すように、供給された水に含まれる気泡が該水から分離される。その結果、気液分離室７１の上側には、気体が滞留する空間７３Ａが形成され、気液分離室７１の下側には、水が一時貯留される空間７３Ｂが形成される。
【００４１】
また、気液分離部７０に接続される給水ノズル７２は、その上端（基端）７２ａが気液分離部７０の上壁７０ａに支持されている。そして、給水ノズル７２は、気液分離部７０の上壁７０ａから下方に向けて突出している。つまり、給水ノズル７２において気液分離室７１内に位置する突出部７２ｂは、気液分離室７１内の水面（液面）に対して交差する方向（本実施形態では直交する方向）に突出している。
【００４２】
こうした突出部７２ｂには、気液分離室７１内の水を内部に流入させるための流入部７４が形成されている。この流入部７４は、図８及び図９に示すように、突出部７２ｂの下端に形成される流入口７５と、突出部７２ｂの側壁７６に下端から上方に延びるように形成された複数（本実施形態では２つ）の流入抑制機構の一例としてのスリット（開口部）７７とを有している。つまり、給水ノズル７２内の中空部分は、流入部７４を介して気液分離室７１内と連通している。
【００４３】
各スリット７７は、突出部７２ｂの中心軸Ｓ２を挟むような位置に形成されている。また、各スリット７７の上端は、気液分離部７０の上壁７０ａよりも下方に位置している。なお、スリット７７の高さＨは、例えば「６ｍｍ」程度であり、スリット７７の幅Ｗは、例えば「１ｍｍ」程度である。
【００４４】
なお、本実施形態では、給水ノズル７２は、気液分離室７１への水の流入口７１Ａの直上位置とは異なる位置に配置されている。
次に、気液分離室７１から異物捕捉部８０側に殺菌済みの水を供給する際の作用について説明する。
【００４５】
さて、気液分離室７１からは、上記ポンプ５３の駆動によって、給水ノズル７２を介して水が汲み上げられる。そして、給水ノズル７２内を上方に流動した水は、ミスト継手８１を介して異物捕捉部８０内に流入する。その後、異物捕捉部８０内のミストフィルター８３を通過した水は、ミストチューブ８５を介してミストノズル１７に供給される。そして、ミストノズル１７では、各ポンプ５３の駆動に基づくベンチュリー効果によって冷ミストが生成され、該冷ミストが外部に放出される。
【００４６】
ところで、気液分離室７１内に滞留する空気の量が多くなり、水位が給水ノズル７２のスリット７７の上端よりも下方に位置するようになると、図９に示すように、給水ノズル７２の流入部７４の一部は、気液分離室７１内に滞留する空気に触れる。しかし、気液分離室７１から水を汲み上げるための給水ノズル７２内には、ポンプ５３の駆動に基づく吸引力によって給水ノズル７２の延びる方向、即ち上下方向に延びる水の柱が形成されている。その結果、水位がスリット７７の上端よりも下方に位置するようになっても、気液分離室７１内の水は、給水ノズル７２内の水と連続している。そのため、気液分離室７１内の水位が下がってきても、気液分離室７１の水は、給水ノズル７２、ミスト継手８１、異物捕捉部８０及びミストチューブ８５を介してミストノズル１７側に供給される。
【００４７】
したがって、本実施形態では、以下に示す効果を得ることができる。
（１）気液分離室７１内の水位が下がったとしても、給水ノズル７２にスリット７７を設けることにより、気液分離室７１内の水を、ミストノズル１７側に途切れることなく供給できる。したがって、ミストノズル１７からは、冷ミストを安定して放出させることができる。
【００４８】
（２）給水ノズル７２内には、上下方向に延びる水の柱が形成されている。そのため、気液分離室７１内の水位がスリット７７の上端よりも下方に位置するようになっても、気液分離室７１内の水を、給水ノズル７２などを介してミストノズル１７側に途切れることなく供給することができる。
【００４９】
（３）本実施形態のスリット７７の上端は、気液分離部７０の上壁７０ａよりも下方に位置している。そのため、スリット７７を介して給水ノズル７２内に空気が流入しにくい。よって、単位時間当りの冷ミストの放出量の低下を抑制できる。
【００５０】
（４）給水ノズル７２は、気液分離室７１への水の流入口７１Ａの直上位置とは異なる位置に配置されている。そのため、給水ノズル７２を流入口７１Ａの直上位置に配置する場合と比較して、流入口７１Ａを介して気液分離室７１に気泡混じりの水が流入したとしても該気泡が給水ノズル７２内に直接流入する可能性を低くすることができる。したがって、ミストノズル１７からは、冷ミストを安定して放出させることができる。
【００５１】
（第２の実施形態）
次に、本発明の第２の実施形態を図１０に従って説明する。なお、第２の実施形態は、気液分離室７１内に区画部材を設ける点が第１の実施形態と異なっている。したがって、以下の説明においては、第１の実施形態と相違する部分について主に説明するものとし、第１の実施形態と同一又は相当する部材構成には同一符号を付して重複説明を省略するものとする。
【００５２】
図１０に示すように、気液分離室７１内には、該気液分離室７１内を上下の２つの空間に区画するための平板状の区画部材９０が設けられている。本実施形態では、区画部材９０は、気液分離室７１内の水面にほぼ平行となるように配置されている。
【００５３】
区画部材９０には、給水ノズル７２が嵌合される貫通孔９１が形成されている。この貫通孔９１内に給水ノズル７２を嵌合させることにより、区画部材９０と給水ノズル７２との接続部位９２が形成される。この接続部位９２は、スリット７７よりも上方に位置している。
【００５４】
また、区画部材９０は、給水ノズル７２の流入部７４から最も離間した位置に、上下の２つの空間を連通させる連通空間９３が位置するように形成されている。より具体的には、連通空間９３は、気液分離室７１への水の流入口７１Ａの直上位置に位置している。その結果、区画部材９０よりも上方で滞留する空気は、給水ノズル７２内に導かれにくい。また、流入口７１Ａを介して気液分離室７１に流入した水に含まれる気泡は、連通空間９３を介して区画部材９０よりも上方の空間側に導かれる。したがって、本実施形態では、給水ノズル７２に形成されたスリット７７及び区画部材９０により、流入抑制機構が構成される。
【００５５】
したがって、本実施形態では、上記第１の実施形態における効果（１）〜（４）と同等の効果に加え、以下に示す効果をさらに得ることができる。
（５）気液分離室７１内に区画部材９０を設けたことにより、区画部材９０を設けない場合と比較して、気液分離室７１で滞留する空気が給水ノズル７２の流入部７４に導かれにくくなる。したがって、気液分離室７１内の水を、ミストノズル１７側に途切れることなく供給できる。
【００５６】
（６）また、上下の２つの空間を連通させる連通空間９３は、給水ノズル７２の流入部７４から最も離間した位置に設けられている。そのため、区画部材９０よりも上方に位置する空気は、給水ノズル７２内に導かれにくい。したがって、気液分離室７１内の水を、ミストノズル１７側に途切れることなく供給できる。
【００５７】
（７）気液分離室７１内の水位が区画部材９０よりも下側に変位しようとする際、区画部材９０において連通空間９３に近接する部位と気液分離室７１の側壁との間には、水の表面張力によって、水膜が形成される。そのため、区画部材９０よりも上側で滞留する空気が区画部材９０よりも下側に移動することを抑制できる。したがって、気液分離室７１内で滞留する空気が給水ノズル７２内に流入することを抑制できる。
【００５８】
なお、上記各実施形態は以下のような別の実施形態に変更してもよい。
・第２の実施形態において、区画部材９０を、水平面に対して斜状をなすように配置してもよい。この場合、図１１に示すように、連通空間９３に近接する部位９０ａが最上位となるように、区画部材９０を配置することが好ましい。このような配置構成にすると、連通空間９３と給水ノズル７２の流入部７４との距離を、さらに長くすることができる。したがって、気液分離室７１で滞留する空気を、給水ノズル７２の流入部７４に導きにくくすることができる。
【００５９】
・第２の実施形態において、区画部材９０に、上下の２つの空間を連通させるための連通孔を設けてもよい。この場合、連通孔内が、連通空間として機能する。
・第２の実施形態において、接続部位９２がスリット７７よりも下方に位置するように、区画部材９０を配置してもよい。
【００６０】
・第２の実施形態において、区画部材９０は、平板状以外の他の任意の形状であってもよい。例えば、区画部材９０は、円弧をなす形状であってもよいし、段差部を有する形状であってもよい。
【００６１】
・第２の実施形態において、給水ノズル７２にスリット７７を設けなくてもよい。
・各実施形態において、給水ノズル７２には、２個以外の任意数（例えば、１つや４つ）のスリット７７を設けてもよい。
【００６２】
・各実施形態において、給水ノズル７２に、高さＨの異なる複数のスリット７７を設けてもよい。
・各実施形態において、給水ノズル７２に、幅Ｗの異なる複数のスリット７７を設けてもよい。
【００６３】
・各実施形態において、スリット７７を、その上端が気液分離室７１の上端と同一位置となるように形成してもよい。
・各実施形態において、スリット７７の延びる方向は、気液分離室７１内の水面と交差する方向であれば、給水ノズル７２の突出する方向とは一致していなくてもよい。例えば、スリット７７の延びる方向は、上下方向以外の他の任意の方向（例えば、水面と交差する際の角度が「６０°」となる方向）であってもよい。
【００６４】
・各実施形態において、給水ノズル７２の側壁７６に設けられる開口部は、スリット７７以外の他の任意の構成であってもよい。例えば、図１２に示すように、開口部１００は、給水ノズル７２の側壁７６に形成された複数の貫通孔１０１を備えた構成であってもよい。
【００６５】
・各実施形態において、給水ノズル７２の下端には、流入口７５を設けなくてもよい。この場合、流入部７４は、給水ノズル７２の側壁７６に設けられる開口部によって構成される。
【００６６】
・各実施形態において、給水ノズル７２の突出する方向は、気液分離室７１内の水面と交差する方向であれば、上下方向以外の他の任意の方向（例えば、水面と交差する際の角度が「５０°」となる方向）であってもよい。
【００６７】
・各実施形態において、冷ミスト生成機構４５は、殺菌部５１を備えない構成であってもよい。
・各実施形態において、冷ミスト生成機構４５では、ベンチュリー効果を利用しない他の任意の方法（例えば、超音波を利用する方法）で冷ミストを発生させてもよい。
【００６８】
・各実施形態において、美顔器１０は、スチーム生成機構４４を備えない構成であってもよい。
・各実施形態において、冷ミスト生成機構４５には、水以外の任意の液体を供給するようにしてもよい。液体としては、例えば、アルカリイオン水、美容液を含んだ水、電解水、芳香剤を含んだ水などが挙げられる。
【００６９】
・本発明のミスト発生装置を、美顔器１０以外の他の任意の装置（例えば、ミストドライヤーや加湿器等）に具体化してもよい。
【符号の説明】
【００７０】
１０…ミスト発生装置、美容装置の一例としての美顔器、１７…ミスト生成部を構成するミストノズル、３６…液体収容部の一例としての給水タンク、５１…殺菌部、５２…ミスト生成部を構成するポンプブロック、５５…ミスト生成部を構成するエアパイプ、５６…ミスト生成部を構成する第２エアチューブ、６１…上流側供給流路の一例としての連通路、７０…気液分離部、７２…突出部材の一例としての給水ノズル、７２ｂ…突出部、７４…流入部、７６…側壁、７７…流入抑制機構を構成するスリット（開口部）、８０…下流側供給流路を構成する異物捕捉部、８１…下流側供給流路を構成するミスト継手、８４…下流側供給流路を構成する継手、８５…下流側供給流路を構成するミストチューブ、９０…流入抑制機構を構成する区画部材、９２…接続部位、９３…連通空間、１００…流入抑制機構を構成する開口部。
【図１】
2012205728.tif 000003
【図２】
2012205728.tif 000004
【図３】
2012205728.tif 000005
【図４】
2012205728.tif 000006
【図５】
2012205728.tif 000007
【図６】
2012205728.tif 000008
【図７】
2012205728.tif 000009
【図８】
2012205728.tif 000010
【図９】
2012205728.tif 000011
【図１０】
2012205728.tif 000012
【図１１】
2012205728.tif 000013
【図１２】
2012205728.tif 000014